(57)【要約】【課題】鑑別部における誤認識の可能性を低減することを可能とする技術が提供されることが望まれる。【解決手段】硬貨が搬送される搬送路と、前記搬送路との間で前記硬貨を挟持しながら前記硬貨を搬送する搬送ベルトと、取り扱い対象の硬貨の最大径よりも径が大きい硬貨の硬貨入金口から硬貨収納部に向かう第１の方向への進入を防止する進入防止部材と、を備え、前記進入防止部材は、前記第１の方向とは逆方向である第２の方向への前記取り扱い対象の硬貨の最大径以下の硬貨の排出を許容する、硬貨処理装置が提供される。【選択図】図３
2018190200.tif 000002
【特許請求の範囲】
【請求項１】
硬貨が搬送される搬送路と、
前記搬送路との間で前記硬貨を挟持しながら前記硬貨を搬送する搬送ベルトと、
取り扱い対象の硬貨の最大径よりも径が大きい硬貨の硬貨入金口から硬貨収納部に向かう第１の方向への進入を防止する進入防止部材と、を備え、
前記進入防止部材は、前記第１の方向とは逆方向である第２の方向への前記取り扱い対象の硬貨の最大径以下の硬貨の排出を許容する、
硬貨処理装置。
【請求項２】
前記搬送ベルトは、前記搬送路の走行方向に対して傾斜して配置されており、前記硬貨を前記搬送路の幅方向の一端側に寄せるように前記硬貨を搬送する、
請求項１に記載の硬貨処理装置。
【請求項３】
前記進入防止部材は、前記搬送ベルトの始端から終端までのいずれかの位置と、前記搬送路の前記走行方向における位置が同じである、
請求項２に記載の硬貨処理装置。
【請求項４】
前記進入防止部材は、前記搬送路の幅方向の前記一端側とは異なる他端側に設けられる、
請求項２に記載の硬貨処理装置。
【請求項５】
前記硬貨処理装置は、
前記搬送ベルトによって搬送された前記硬貨を鑑別する鑑別部を備え、
前記進入防止部材は、前記鑑別部よりも前記硬貨入金口側に設けられる、
請求項１に記載の硬貨処理装置。
【請求項６】
前記進入防止部材は、前記第２の方向に搬送された前記硬貨との接触面が傾斜している幅規制ガイドを含む、
請求項２に記載の硬貨処理装置。
【請求項７】
前記幅規制ガイドは、前記第２の方向に搬送された前記硬貨が前記一端側に誘導されるように前記接触面が傾斜している、
請求項６に記載の硬貨処理装置。
【請求項８】
前記幅規制ガイドは、前記第１の方向に搬送された前記硬貨との接触面が傾斜している、
請求項６に記載の硬貨処理装置。
【請求項９】
前記幅規制ガイドは、前記第１の方向に搬送された前記硬貨が前記一端側に誘導されるように前記接触面が傾斜している、
請求項８に記載の硬貨処理装置。
【請求項１０】
前記幅規制ガイドは、前記第２の方向に搬送された前記硬貨との接触面と前記第１の方向に搬送された前記硬貨との接触面との間で傾斜角度または大きさが異なっている、
請求項８に記載の硬貨処理装置。
【請求項１１】
前記硬貨処理装置は、
前記搬送ベルトによって搬送された前記硬貨を鑑別する鑑別部を備え、
前記進入防止部材は、前記鑑別部に突き当てられている、
請求項１に記載の硬貨処理装置。
【請求項１２】
前記進入防止部材は、前記進入防止部材と前記搬送路との間を固定するネジに引っ掛かる引っ掛け部を備える、
請求項１に記載の硬貨処理装置。
【請求項１３】
前記進入防止部材は、前記第１の方向に搬送された前記硬貨が接触した場合に移動せず、前記第２の方向に搬送された前記硬貨が接触した場合に移動する幅規制ピンを含む、
請求項１に記載の硬貨処理装置。
【請求項１４】
前記幅規制ピンは、前記第２の方向に搬送された前記硬貨が接触した場合に前記硬貨が通過可能な前記搬送路の幅が広がるように移動する、
請求項１３に記載の硬貨処理装置。
【発明の詳細な説明】
【技術分野】
【０００１】
本発明は、硬貨処理装置に関する。
【背景技術】
【０００２】
近年、硬貨を処理する硬貨処理装置が存在する。一般に、硬貨処理装置は、入金された硬貨の外形および材質を鑑別部によって判別し、鑑別部によって硬貨の鑑別を行う。
【先行技術文献】
【特許文献】
【０００３】
【特許文献１】特開平２−７６０９０号公報
【発明の概要】
【発明が解決しようとする課題】
【０００４】
しかしながら、日本硬貨との間で外形および材質が類似している外国硬貨が存在する。そのため、外国硬貨を鑑別部に搬送してしまった場合、鑑別部において外国硬貨を誤って日本硬貨と認識してしまう可能性がある。例えば、日本硬貨の例としての５００円硬貨は、直径が２６．３〜２６．６ｍｍ、材質がニッケル黄銅であり、フィリピン硬貨の例としての５ペソ硬貨は、直径が２６．７〜２７．０ｍｍ、材質がニッケル黄銅であり、これらの二つの硬貨は類似している。
【０００５】
そこで、鑑別部における誤認識の可能性を低減することを可能とする技術が提供されることが望まれる。
【課題を解決するための手段】
【０００６】
上記問題を解決するために、硬貨が搬送される搬送路と、前記搬送路との間で前記硬貨を挟持しながら前記硬貨を搬送する搬送ベルトと、取り扱い対象の硬貨の最大径よりも径が大きい硬貨の硬貨入金口から硬貨収納部に向かう第１の方向への進入を防止する進入防止部材と、を備え、前記進入防止部材は、前記第１の方向とは逆方向である第２の方向への前記取り扱い対象の硬貨の最大径以下の硬貨の排出を許容する、硬貨処理装置が提供される。
【０００７】
前記搬送ベルトは、前記搬送路の走行方向に対して傾斜して配置されており、前記硬貨を前記搬送路の幅方向の一端側に寄せるように前記硬貨を搬送してもよい。
【０００８】
前記進入防止部材は、前記搬送ベルトの始端から終端までのいずれかの位置と、前記搬送路の前記走行方向における位置が同じであってもよい。
【０００９】
前記進入防止部材は、前記搬送路の幅方向の前記一端側とは異なる他端側に設けられてもよい。
【００１０】
前記硬貨処理装置は、前記搬送ベルトによって搬送された前記硬貨を鑑別する鑑別部を備え、前記進入防止部材は、前記鑑別部よりも前記硬貨入金口側に設けられてもよい。
【００１１】
前記進入防止部材は、前記第２の方向に搬送された前記硬貨との接触面が傾斜している幅規制ガイドを含んでもよい。
【００１２】
前記幅規制ガイドは、前記第２の方向に搬送された前記硬貨が前記一端側に誘導されるように前記接触面が傾斜していてもよい。
【００１３】
前記幅規制ガイドは、前記第１の方向に搬送された前記硬貨との接触面が傾斜していてもよい。
【００１４】
前記幅規制ガイドは、前記第１の方向に搬送された前記硬貨が前記一端側に誘導されるように前記接触面が傾斜していてもよい。
【００１５】
前記幅規制ガイドは、前記第２の方向に搬送された前記硬貨との接触面と前記第１の方向に搬送された前記硬貨との接触面との間で傾斜角度または大きさが異なっていてもよい。
【００１６】
前記硬貨処理装置は、前記搬送ベルトによって搬送された前記硬貨を鑑別する鑑別部を備え、前記進入防止部材は、前記鑑別部に突き当てられていてもよい。
【００１７】
前記進入防止部材は、前記進入防止部材と前記搬送路との間を固定するネジに引っ掛かる引っ掛け部を備えてもよい。
【００１８】
前記進入防止部材は、前記第１の方向に搬送された前記硬貨が接触した場合に移動せず、前記第２の方向に搬送された前記硬貨が接触した場合に移動する幅規制ピンを含んでもよい。
【００１９】
前記幅規制ピンは、前記第２の方向に搬送された前記硬貨が接触した場合に前記硬貨が通過可能な前記搬送路の幅が広がるように移動してもよい。
【発明の効果】
【００２０】
以上説明したように本発明によれば、鑑別部における誤認識の可能性を低減することを可能とする技術が提供される。
【図面の簡単な説明】
【００２１】
【図１】本発明の一実施形態に係る現金処理装置の外観斜視図である。
【図２】同実施形態に係る現金処理装置の機能構成例を示すブロック図である。
【図３】第１の実施形態に係る現金処理装置の硬貨処理装置の構成例を示す上面図である。
【図４】図３に示した圧着搬送ベルトからリジェクトゲートまでの構成例を示す上面図である。
【図５】図３に示した入金搬送路の拡大図である。
【図６】第１の実施形態の変形例１に係る入金搬送路の拡大図である。
【図７】第１の実施形態の変形例２に係る入金搬送路の拡大図である。
【図８】第１の実施形態の変形例３に係る入金搬送路の拡大図である。
【図９】第１の実施形態の変形例４に係る入金搬送路の拡大図である。
【図１０】第１の実施形態の変形例５に係る入金搬送路の拡大図である。
【図１１】第１の実施形態の変形例３〜５に係る幅規制ガイドの拡大図である。
【図１２】治具によって幅規制ガイドを固定する例を説明するための図である。
【図１３】第２の実施形態に係る入金搬送路の拡大図である。
【図１４】図１３におけるＡ−Ａ断面図である。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
また、本明細書および図面において、実質的に同一の機能構成を有する複数の構成要素を、同一の符号の後に異なる数字を付して区別する場合がある。ただし、実質的に同一の機能構成を有する複数の構成要素等の各々を特に区別する必要がない場合、同一符号のみを付する。また、異なる実施形態の類似する構成要素については、同一の符号の後に異なるアルファベットを付して区別する場合がある。ただし、異なる実施形態の類似する構成要素等の各々を特に区別する必要がない場合、同一符号のみを付する。
【００２４】
（０．概要）
まず、本実施形態に係る現金処理装置の概要について説明する。図１は、本実施形態に係る現金処理装置の外観斜視図である。図１に示した例において、現金処理装置１００は、例えば、スーパーマーケットおよびコンビニエンスストアなどの小売店、ディスカウントショップなどの大型量販店などの精算所に設置されたレジスタやＰＯＳ（Ｐｏｉｎｔ  Ｏｆ  Ｓａｌｅｓ）用レジスタなどに接続された現金釣銭機である。この現金処理装置１００は、硬貨処理装置３００と、紙幣処理装置２００と、表示部２２１と、操作部２２２とを有している。
【００２５】
硬貨処理装置３００は、現金処理装置１００の幅方向（現金処理装置１００の前面に向かって左右方向）の左側約半分に設けられ、硬貨の入出金を管理するものである。硬貨処理装置３００は、装置の前方に、硬貨入金口３１０、硬貨出金口３２０およびリジェクト口３３０を有している。硬貨入金口３１０には、操作者により入金硬貨が投入される。硬貨出金口３２０には、装置内から出金硬貨が排出される。リジェクト口３３０は、リジェクト硬貨が排出される。
【００２６】
なお、本実施形態においては、現金処理装置１００が硬貨処理装置３００を有する例を主に説明する。しかし、現金処理装置１００は、何らかの媒体を処理する媒体処理装置を有していてもよい。すなわち、媒体処理装置は、硬貨処理装置３００による硬貨の処理と同様にして硬貨を処理してもよいし、硬貨処理装置３００による硬貨の処理と同様に硬貨以外の媒体を処理してもよい。
【００２７】
紙幣処理装置２００は、現金処理装置１００の幅方向の右側約半分に設けられ、紙幣の入出金を管理するものである。紙幣処理装置２００は、装置の前方に、紙幣入出金口に対して開閉可能なシャッタ２３２を有する。操作者は、シャッタ２３２を開けた状態で、紙幣入出金口に入金紙幣を投入し、または、紙幣入出金口に排出された出金紙幣を取り出す。
【００２８】
なお、本実施形態においては、現金処理装置１００が紙幣処理装置２００を有する例を主に説明する。しかし、現金処理装置１００は、何らかの媒体を処理する媒体処理装置を有していてもよい。すなわち、媒体処理装置は、紙幣処理装置２００による紙幣の処理と同様にして紙幣を処理してもよいし、紙幣処理装置２００による紙幣の処理と同様に紙幣以外の媒体を処理してもよい。
【００２９】
表示部２２１は、例えば、液晶ディスプレイで構成され、メニュー画面などを表示するものである。また、表示部２２１は、現金処理装置１００の状態を示す情報を表示するものである。表示部２２１は、紙幣処理装置２００の前方上面において操作部２２２の隣に設けられている。
【００３０】
操作部２２２は、キーおよびボタンなどを有しており、操作者の操作を受け付けるものである。例えば、操作者は、操作部２２２により、表示部２２１に表示された選択画面にて所望の項目を選択する。操作部２２２は、紙幣処理装置２００の前方上面に配置されている。
【００３１】
現金処理装置１００には、現金処理装置１００の全体動作を制御する制御ユニットが設けられている。この制御ユニットは、現金処理装置１００の構成要素を制御する制御部と、制御部が実行するプログラム等を記憶する記憶部とを有している。
【００３２】
なお、現金処理装置１００は、硬貨処理装置３００および紙幣処理装置２００を含むものとしたが、これに限定されることなく、例えば現金処理装置１００は、硬貨処理装置３００のみを有するものであってもよい。また、現金処理装置１００は、レジスタなどに接続された現金釣銭機であることとしたが、これに限定されることなく、例えば、現金処理装置１００は、金融機関の営業店等に設けられたＡＴＭ（Ａｕｔｏｍａｔｅｄ  ｔｅｌｌｅｒ  ｍａｃｈｉｎｅ）に代表される自動取引装置に備えられるものであってもよい。
【００３３】
図２は、本実施形態に係る現金処理装置１００の機能構成例を示すブロック図である。図２に示すように、現金処理装置１００は、制御部１６０、記憶部１７０、通信部１８０、操作表示部２２０、紙幣入出金部２３０および硬貨入出金部３４０を備える。
【００３４】
制御部１６０は、ＣＰＵ（Ｃｅｎｔｒａｌ  Ｐｒｏｃｅｓｓｉｎｇ  Ｕｎｉｔ）などを含み、記憶部１７０により記憶されているプログラムがＣＰＵによりＲＡＭ（Ｒａｎｄｏｍ  Ａｃｃｅｓｓ  Ｍｅｍｏｒｙ）に展開されて実行されることにより、その機能が実現され得る。このとき、当該プログラムを記録した、コンピュータに読み取り可能な記録媒体も提供され得る。あるいは、制御部１６０は、専用のハードウェアにより構成されていてもよいし、複数のハードウェアの組み合わせにより構成されてもよい。
【００３５】
記憶部１７０は、制御部１６０を動作させるためのプログラムおよびデータを記憶することが可能な記憶装置である。また、記憶部１７０は、制御部１６０の動作の過程で必要となる各種データを一時的に記憶することもできる。例えば、記憶装置は、不揮発性の記憶装置であってよい。
【００３６】
通信部１８０は、ネットワーク５００を介してホストコンピュータ４００との間で通信を行うための通信インタフェースである。本実施形態においては、通信部１８０が有線による通信を行う場合を主に想定するが、通信部１８０は、無線による通信を行ってもよい。
【００３７】
その他、操作表示部２２０は、上記した表示部２２１および上記した操作部２２２に相当する。紙幣入出金部２３０は、紙幣の入出金処理を行う機能を有している。硬貨入出金部３４０は、硬貨の入出金処理を行う機能を有している。
【００３８】
以上、本実施形態に係る現金処理装置１００の概要について説明した。以上に説明した現金処理装置１００が有する各構成は、例えば、以下に説明する第１の実施形態および第２の実施形態それぞれに係る現金処理装置１００が前提として有している。
【００３９】
（１．第１の実施形態）
続いて、第１の実施形態について説明する。
【００４０】
（１−１．構成の説明）
まず、第１の実施形態に係る現金処理装置１００の硬貨処理装置３００の構成例について説明する。図３は、第１の実施形態に係る現金処理装置１００の硬貨処理装置３００の構成例を示す上面図である。図４は、図３に示した圧着搬送ベルトからリジェクトゲートまでの構成例を示す上面図である。図５は、図３に示した入金搬送路の拡大図である。
【００４１】
図３に示すように、硬貨処理装置３００には、円板の回転による遠心力で硬貨をゲート１５に運ぶ硬貨入金口２が配設される。また、硬貨処理装置３００には、ゲート１５で１枚に分離された硬貨を下流へ受け渡すタイミングを制御しながら搬送する受け渡しローラ４が配置される。また、受け渡しローラ４の下流には、入金搬送路３に繰り出された硬貨を鑑別部６へ搬送する圧着搬送ベルト５が配置されている。より具体的に、圧着搬送ベルト５は、入金搬送路３との間で硬貨を挟持しながら硬貨を搬送する。
【００４２】
入金搬送路３には、入金搬送路３の幅方向に対し硬貨の位置を規制するための幅寄せガイド１８が設けられ、図３に示すように、圧着搬送ベルト５は、幅寄せガイド１８寄りに配置されている。図５に示すように、圧着搬送ベルト５は、幅寄せガイド１８に対し傾斜して配置されており（入金搬送路３の走行方向に対して傾斜して配置されており）、圧着搬送ベルト５によって硬貨が搬送されている間は、硬貨は常に幅寄せガイド１８に接触しながら搬送される（入金搬送路３の幅方向の一端側（以下、「幅寄せガイド１８側」とも言う。）に寄せられるように搬送される）。
【００４３】
また、入金搬送路３には、幅規制ガイド２９が配置される。幅規制ガイド２９は、取り扱い対象の硬貨の最大径よりも径が大きい硬貨（以下、単に「外国硬貨」とも言う。）の硬貨入金口２から硬貨収納部１２に向かう第１の方向（以下、「正転方向」とも言う。）への進入を防止する進入防止部材の一例として機能する。したがって、第２の実施形態においても説明するように、幅規制ガイド２９の代わりに、他の進入防止部材が配置されてもよい。第１の実施形態においては、幅寄せガイド１８と幅規制ガイド２９との間隔によって硬貨の搬送路幅がＬに規制される。
【００４４】
第１の実施形態においては、搬送路幅Ｌが、５００円硬貨の直径の上限値である場合を主に想定する（すなわち、Ｌ＝２６．６０ｍｍである場合を主に想定する）。
【００４５】
幅規制ガイド２９が配置される位置は限定されない。すなわち、幅規制ガイド２９が配置される入金搬送路３の走行方向および幅方向における位置は限定されない。しかし、図５に示すように、幅規制ガイド２９は、圧着搬送ベルト５の始端から終端までのいずれかの位置と、入金搬送路３の走行方向における位置が同じであるのがよい。そうすれば、圧着搬送ベルト５による搬送によって硬貨が幅寄せガイド１８に接触しながら搬送路幅Ｌを正転方向に容易に通過する。
【００４６】
また、図５に示すように、幅規制ガイド２９は、幅寄せガイド１８の向かい側に設けられるのがよい（入金搬送路３の幅方向の幅寄せガイド１８側とは異なる他端側に設けられるのがよい）。そうすれば、幅寄せガイド１８と幅規制ガイド２９との間隔を容易にＬに設定することが可能となる。
【００４７】
また、図５に示すように、入金搬送路３には、圧着搬送ベルト５によって搬送された硬貨を鑑別する鑑別部６が設けられており、幅規制ガイド２９は、鑑別部６よりも硬貨入金口２側に設けられるのがよい。そうすれば、鑑別部６における硬貨の誤認識の可能性を低減することを可能となる。
【００４８】
一方、取り扱い対象の硬貨の最大径以下の硬貨（以下、単に「日本硬貨」とも言う。）が幅寄せガイド１８と幅規制ガイド２９との間を一度通過したものの、エラーが発生した場合などに、正転方向（第１の方向）とは逆方向である第２の方向（以下、「逆転方向」とも言う。）に、硬貨が排出される場合がある。かかる場合には、圧着搬送ベルト５が硬貨を幅寄せガイド１８に接触させる機能が働かないことが想定されるため、逆転方向に搬送された硬貨が幅規制ガイド２９に接触する可能性がある。
【００４９】
このとき、幅規制ガイド２９は、正転方向（第１の方向）とは逆方向である第２の方向（以下、「逆転方向」とも言う。）への日本硬貨の排出を許容する。そうすれば、日本硬貨が容易に硬貨入金口２に排出される。具体的に、第１の実施形態においては、幅規制ガイド２９は、逆転方向に搬送された硬貨との接触面Ｆ１が傾斜している。これによって、逆転方向に搬送された硬貨が幅寄せガイド１８と幅規制ガイド２９との間を容易に通過することが可能となる。
【００５０】
より具体的には、幅規制ガイド２９の接触面Ｆ１は、逆転方向に搬送された硬貨が幅寄せガイド１８側に誘導されるように傾斜している（すなわち、幅規制ガイド２９は、下流側が迎え形状となっている）。このとき、迎え角度（傾斜角度）θ１は、４５度以下であることが望ましい。そうすれば、逆転方向に搬送された硬貨が幅寄せガイド１８に容易に接触する。
【００５１】
図３に示すように、鑑別部６の下流には、幅寄せガイド１８との間隔が１円硬貨の幅よりも狭くなる位置に可動する搬送制御ピン１９が入金搬送路３（搬送面）から突き出している。搬送制御ピン１９の下流には、鑑別部６によってリジェクト硬貨であると判定された硬貨を硬貨リジェクト口１３に振り分けるリジェクトゲート７が配設されている。
【００５２】
さらに、リジェクトゲート７の下流には、硬貨を金種毎に選別する選別開閉ゲート１０と閉塞機構ゲート１１で構成された硬貨選別搬送路９が配設されている。また、リジェクトゲート７は、異物を除去するため、通常時には開状態となっており、センサによる突起付き搬送ベルト８の突起８ａの位置の監視結果に基づいて閉動作を行い、正常貨を硬貨選別搬送路９へと搬送する。
【００５３】
リジェクトゲート７の入金搬送路３から硬貨選別搬送路９にかけては、搬送路の真上に突起８ａが付いた突起付き搬送ベルト８が配設されている。圧着搬送ベルト５から突起付き搬送ベルト８への硬貨の受け渡しには、ある程度の時間の余裕が設けられている。圧着搬送ベルト５から突起付き搬送ベルト８の突起８ａに硬貨が受け渡されるまで、圧着搬送ベルト５の慣性によってリジェクトゲート７に硬貨が落下しないよう搬送制御ピン１９が硬貨を停止させる。これによって、圧着搬送ベルト５から突起付き搬送ベルト８への硬貨の受け渡しがスムーズに行えるようになっている。
【００５４】
また、図４に示すように、圧着搬送ベルト５と突起付き搬送ベルト８は、圧着搬送ベルトプーリ２１と突起付搬送ベルトプーリ２０により駆動しており、図示せぬ同一のアクチュエータにより駆動伝達されている。入金搬送路３には、硬貨の到来と通過を監視するための搬送監視センサ１６が複数設けられている。
【００５５】
選別開閉ゲート１０と硬貨収納部１２は、５円・１０円・５０円・１００円・５００円の５金種に対応するように、硬貨選別搬送路９の上流側に５つに配設されている。また、リジェクトゲート７は、閉塞して搬送面の一部を構成する閉塞位置と、搬送面に突出し搬送路を通る硬貨をそれぞれリジェクト口内に導く開放位置との間を移動可能に構成されている。また、各選別開閉ゲート１０は、閉塞して搬送面の一部を構成する閉塞位置と、搬送面に突出し搬送路を通る硬貨を金種別の硬貨収納部１２内に導く開放位置との間を移動可能に構成されている。
【００５６】
さらに、硬貨選別搬送路９の最下流には、駆動を伴わない閉塞機構ゲート１１と１円硬貨収納部１２ａが配設されている。また、選別開閉ゲート１０と閉塞機構ゲート１１の下には、硬貨が金種別の収納庫に落下したことを検知する収納確定センサ１７が配置されている。
【００５７】
（１−２．動作の説明）
続いて、第１の実施形態に係る現金処理装置１００の硬貨処理装置３００の動作例について説明する。まず、正転方向に硬貨が搬送される場合における動作例を説明する。硬貨入金口２から受け渡しローラ４を通過した硬貨は入金搬送路３へ搬送される。そのとき、日本硬貨（例えば、５００円硬貨など）は、圧着搬送ベルト５による搬送によって幅寄せガイド１８に接触しながら、幅寄せガイド１８と幅規制ガイド２９との間を通過し、硬貨選別搬送路９へと搬送される。
【００５８】
一方、５００円硬貨より直径の大きい外国硬貨（例えば、５ペソ硬貨など）は、圧着搬送ベルト５による搬送によって幅寄せガイド１８に接触する。しかし、かかる外国硬貨は、直径が搬送路幅Ｌより大きいため、幅寄せガイド１８と幅規制ガイド２９との間を通過することができない。
【００５９】
次に、逆転方向に硬貨が搬送される場合における動作例を説明する。例えば、逆転方向への硬貨の搬送は、エラー（搬送エラーなど）発生状態からの自動復旧機能が働いている場合などに行われる。幅寄せガイド１８と幅規制ガイド２９との間を一度通過した日本硬貨が逆転方向に搬送された場合、日本硬貨は、圧着搬送ベルト５によって幅寄せガイド１８に寄せられることはなく、幅規制ガイド２９に接触してしまう。
【００６０】
しかし、幅規制ガイド２９の接触面Ｆ１の傾斜によって、接触面Ｆ１に接触した硬貨が幅寄せガイド１８側に寄せられ、日本硬貨は幅寄せガイド１８と幅規制ガイド２９との間を通過することができる。
【００６１】
（１−３．効果の説明）
以上のように、第１の実施形態によれば、日本硬貨（例えば、５００円硬貨など）よりも外形の大きい外国硬貨（例えば、５ペソ硬貨など）が投入された場合であっても、かかる外国硬貨は、幅寄せガイド１８と幅規制ガイド２９との間を通過することができず、エラーが発生して入金動作が停止する。そのため、外国硬貨が誤って日本硬貨と認識されてしまう可能性が低減される。一方、日本硬貨は、正転方向に搬送される場合であっても、逆転方向に搬送される場合であっても、幅寄せガイド１８と幅規制ガイド２９との間を通過し、入金動作が停止することはない。
【００６２】
（１−４．変形例の説明）
上記では、幅規制ガイド２９のうち、逆転方向に搬送された硬貨との接触面Ｆ１が傾斜している例を説明した。しかし、硬貨が正転方向に搬送されている場合であっても、異物などが存在することによって、硬貨が十分に幅寄せガイド１８に寄せられない場合も想定される。そのため、幅規制ガイド２９は、正転方向に搬送された硬貨との接触面も傾斜しているのが望ましい。これによって、正転方向に搬送された硬貨が幅寄せガイド１８と幅規制ガイド２９との間を容易に通過することが可能となる。
【００６３】
図６は、第１の実施形態の変形例１に係る入金搬送路の拡大図である。図６に示すように、幅規制ガイド２９は、正転方向に搬送された硬貨が幅寄せガイド１８側に誘導されるように接触面Ｆ２が傾斜している（すなわち、幅規制ガイド２９は、上流側が迎え形状となっている）。このとき、迎え角度（傾斜角度）θ２は、４５度以下であることが望ましい。そうすれば、正転方向に搬送された硬貨が幅寄せガイド１８に容易に接触する。
【００６４】
図７は、第１の実施形態の変形例２に係る入金搬送路の拡大図である。図７に示すように、下流側の迎え角度θ１と上流側の迎え角度θ２とは、異なっていてもよい。例えば、図７に示すように、上流側の迎え角度θ２は、下流側の迎え角度θ１よりも大きくてよい（上流側の接触面Ｆ２は下流側の接触面Ｆ１よりも小さくてよい）。上流側から下流側に硬貨が搬送されるときには、圧着搬送ベルト５によって硬貨が寄せられるために、幅規制ガイド２９によって硬貨を寄せる機能は強く働かなくてよいが、下流側から上流側に硬貨が搬送されるときには、圧着搬送ベルト５によって硬貨が寄せられないため、幅規制ガイド２９によって硬貨を寄せる機能が強く働く必要があるからである。
【００６５】
図８は、第１の実施形態の変形例３に係る入金搬送路の拡大図である。図８に示すように、第１の実施形態の変形例３においても、幅規制ガイド２９は、逆転方向に搬送された硬貨との接触面Ｆ１が傾斜している。このように、接触面Ｆ１が傾斜していれば、幅規制ガイド２９の形状は限定されない。なお、幅規制ガイド２９は、入金搬送路３に対してネジによって固定されている。これによって、幅規制ガイド２９の回転および移動が防止されている。
【００６６】
なお、正転方向に搬送された外国硬貨が幅寄せガイド１８と幅規制ガイド２９との間を通過できない場合、搬送エラーが発生して正転方向への外国硬貨の搬送が何度かリトライされることが想定される。そこで、かかるリトライ回数を低減するために、制御部１６０は、外国硬貨が検出された段階で外国硬貨が硬貨入金口２に排出されるように制御し、硬貨を取り除くことを促す表示を制御してもよい。
【００６７】
図９は、第１の実施形態の変形例４に係る入金搬送路の拡大図である。図９に示すように、幅規制ガイド２９は、鑑別部６に突き当てられていてもよい。そうすれば、幅規制ガイド２９に対して硬貨が接触しても幅規制ガイド２９が回転してしまうことが防止される。なお、図９に示した例では、幅規制ガイド２９の下流側が鑑別部６に突き当てられているため、上流側から下流側に搬送される硬貨が幅規制ガイド２９に接触した場合に幅規制ガイド２９が回転してしまうことが主に防止される。しかし、幅規制ガイド２９の上流側が鑑別部６に突き当てられていてもよい。このとき、下流側から上流側に搬送される硬貨が幅規制ガイド２９に接触した場合に幅規制ガイド２９が回転してしまうことが主に防止される。
【００６８】
図１０は、第１の実施形態の変形例５に係る入金搬送路の拡大図である。図１０に示すように、入金搬送路３には、幅規制ガイド２９の前、かつ、幅寄せガイド１８からＬ以上離れた位置に外貨検知センサ２２が設けられている。外貨検知センサ２２によって所定時間を超えて検出がなされた場合、制御部１６０は、外国硬貨Ｃを検出したとして硬貨入金口２に外国硬貨Ｃが排出されるように制御し、硬貨を取り除くことを促す表示を制御してもよい。
【００６９】
上記したように、幅規制ガイド２９は、入金搬送路３において幅寄せガイド１８からＬ離れた位置に設けられる。幅規制ガイド２９はどのようにして入金搬送路３に取り付けられてもよい。例えば、幅規制ガイド２９に曲げ部分が形成され、入金搬送路３に曲げ部分が差し込まれる穴が形成されている場合、当該曲げ部分を穴に差し込むことによって幅規制ガイド２９が入金搬送路３における所望の位置に固定され得る。
【００７０】
あるいは、入金搬送路３における所望の位置に突出部が形成されている場合、当該突出部に幅規制ガイド２９を固定することによって、幅規制ガイド２９が入金搬送路３における所望の位置に固定され得る。あるいは、幅規制ガイド２９の位置を調整するための治具が用意されている場合、治具によって幅規制ガイド２９の入金搬送路３における位置を所望の位置に固定してもよい。なお、幅規制ガイド２９は、硬貨との接触によって摩耗した場合などに容易に交換され得る。
【００７１】
図１１は、第１の実施形態の変形例３〜５に係る幅規制ガイド２９の拡大図である。図８〜図１０に示したように、幅規制ガイド２９は、ネジによって入金搬送路３に固定されてよい。このとき、図１１に示すように、幅規制ガイド２９は、ネジに引っ掛かる引っ掛け部２９１を有しているとよい。そうすれば、引っ掛け部２９１がネジに引っ掛かることによって、幅規制ガイド２９がネジによって固定されやすくなる（幅規制ガイド２９がネジから外れにくくなる）。
【００７２】
図１２は、治具によって幅規制ガイド２９を固定する例を説明するための図である。まず、幅規制ガイド２９の裏面には、接着剤が塗布される。そして、幅規制ガイド２９と幅寄せガイド１８との間隔がＬになるように、調整治具４２と押し付け治具４１を用いて調整され（例えば、押し付け治具４１を押し付け方向Ｄ１に押すことによって、幅規制ガイド２９が調整治具４２に押し付けられる）、ネジによって幅規制ガイド２９が入金搬送路３に固定される。幅規制ガイド２９が固定された後は、調整治具４２と押し付け治具４１は取り除かれる。
【００７３】
以上において、第１の実施形態について説明した。
【００７４】
（２．第２の実施形態）
続いて、第２の実施形態について説明する。以下では、第２の実施形態に係る硬貨処理装置３００のうち、第１の実施形態に係る硬貨処理装置３００が有する構成と異なる構成について主に説明し、第１の実施形態に係る硬貨処理装置３００が有する構成と共通する構成についての説明は省略する。
【００７５】
（２−１．構成の説明）
まず、第２の実施形態に係る現金処理装置１００の硬貨処理装置３００の構成例について説明する。図１３は、第２の実施形態に係る入金搬送路の拡大図である。図１４は、図１３におけるＡ−Ａ断面図である。第１の実施形態においては、外国硬貨の正転方向への進入を防止する進入防止部材の一例として幅規制ガイド２９が設けられる場合を説明した。第２の実施形態においては、外国硬貨の正転方向への進入を防止する進入防止部材の一例として、幅規制ガイド２９の代わりに、幅規制ピン３０が設けられる場合を主に説明する。
【００７６】
幅規制ピン３０は、正転方向に搬送された硬貨が接触した場合に移動しない。これによって、外国硬貨の正転方向への進入が防止される。一方、幅規制ピン３０は、逆転方向に搬送された硬貨が接触した場合に移動する。これによって、逆転方向に搬送された日本硬貨の排出が許容される。より具体的には、幅規制ピン３０は、逆転方向に搬送された硬貨が接触した場合に硬貨が通過可能な入金搬送路３の幅が広がるように移動する。
【００７７】
図１４に示すように、幅規制ピン３０は、入金搬送路３に対して突き出すように配置される。幅規制ピン３０は、幅規制ピンブラケット３３に付随しており、幅規制ピン支点３２を中心に回転し、幅寄せガイド１８との間隔が搬送路幅Ｌ（２６．６０ｍｍ）となる所定の位置に戻るように幅規制ピンリセットスプリング３１が付勢されている。
【００７８】
幅規制ピン３０は、入金搬送路３の穴３４によって可動範囲が規制されており、幅寄せガイド１８との間隔が搬送路幅Ｌ（２６．６０ｍｍ）となる所定の位置から反時計回り方向Ｂ２へは移動することができない。一方、幅規制ピン３０は、時計回り方向Ｂ１へは移動することが可能である。
【００７９】
（２−２．動作の説明）
続いて、第２の実施形態に係る現金処理装置１００の硬貨処理装置３００の動作例について説明する。まず、正転方向に硬貨が搬送される場合における動作例を説明する。硬貨入金口２から受け渡しローラ４を通過した硬貨は入金搬送路３へ搬送される。そのとき、日本硬貨（例えば、５００円硬貨など）は、圧着搬送ベルト５による搬送によって幅寄せガイド１８に接触しながら、幅寄せガイド１８と幅規制ピン３０との間を通過し、硬貨選別搬送路９へと搬送される。
【００８０】
一方、５００円硬貨より直径の大きい外国硬貨（例えば、５ペソ硬貨など）は、圧着搬送ベルト５による搬送によって幅寄せガイド１８に接触する。しかし、かかる外国硬貨は、直径が搬送路幅Ｌより大きいため（さらに、幅規制ピン３０が反時計回り方向Ｂ２には回転しないため）、幅寄せガイド１８と幅規制ピン３０との間を通過することができない。
【００８１】
次に、逆転方向に硬貨が搬送される場合における動作例を説明する。例えば、逆転方向への硬貨の搬送は、エラー（搬送エラーなど）発生状態からの自動復旧機能が働いている場合などに行われる。幅寄せガイド１８と幅規制ピン３０との間を一度通過した日本硬貨が逆転方向に搬送された場合、日本硬貨は、圧着搬送ベルト５によって幅寄せガイド１８に寄せられることはなく、幅規制ピン３０に接触してしまう。
【００８２】
しかし、幅規制ピン３０が時計回り方向Ｂ１に回転することによって、硬貨の通過可能な入金搬送路３の幅が広がり、日本硬貨は幅寄せガイド１８と幅規制ピン３０との間を通過することができる。日本硬貨が幅寄せガイド１８と幅規制ピン３０との間を通過した後には、幅規制ピン３０は、幅規制ピンリセットスプリング３１の付勢力によって、幅寄せガイド１８との間隔が搬送路幅Ｌ（２６．６０ｍｍ）となる所定の位置に戻される。
【００８３】
（２−３．効果の説明）
以上のように、第２の実施形態によれば、日本硬貨（例えば、５００円硬貨など）よりも外形の大きい外国硬貨（例えば、５ペソ硬貨など）が投入された場合であっても、かかる外国硬貨は、幅寄せガイド１８と幅規制ピン３０との間を通過することができず、エラーが発生して入金動作が停止する。そのため、外国硬貨が誤って日本硬貨と認識されてしまう可能性が低減される。一方、日本硬貨は、正転方向に搬送される場合であっても、逆転方向に搬送される場合であっても、幅寄せガイド１８と幅規制ピン３０との間を通過し、入金動作が停止することはない。
【００８４】
以上において、第２の実施形態について説明した。
【００８５】
（３．まとめ）
第１の実施形態によれば、硬貨が搬送される入金搬送路３と、入金搬送路３との間で硬貨を挟持しながら硬貨を搬送する圧着搬送ベルト５と、取り扱い対象の硬貨の最大径よりも径が大きい硬貨の硬貨入金口２から硬貨収納部１２に向かう第１の方向への進入を防止する進入防止部材と、を備える、硬貨処理装置３００が提供される。ここで、進入防止部材は、第１の方向とは逆方向である第２の方向への取り扱い対象の硬貨の最大径以下の硬貨の排出を許容する。
【００８６】
かかる構成によれば、日本硬貨（例えば、５００円硬貨など）よりも外形の大きい外国硬貨（例えば、５ペソ硬貨など）が投入された場合であっても、かかる外国硬貨は、幅寄せガイド１８と進入防止部材との間を通過することができず、エラーが発生して入金動作が停止する。そのため、外国硬貨が誤って日本硬貨と認識されてしまう可能性が低減される。一方、日本硬貨は、正転方向に搬送される場合であっても、逆転方向に搬送される場合であっても、幅寄せガイド１８と進入防止部材との間を通過し、入金動作が停止することはない。
【００８７】
（４．変形例の説明）
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８８】
２      硬貨入金口
３      入金搬送路
４      受け渡しローラ
５      圧着搬送ベルト
６      鑑別部
７      リジェクトゲート
８      突起付き搬送ベルト
８ａ    突起
９      硬貨選別搬送路
１０    選別開閉ゲート
１１    閉塞機構ゲート
１２    硬貨収納部
１２ａ  １円硬貨収納部
１３    硬貨リジェクト口
１５    ゲート
１６    搬送監視センサ
１７    収納確定センサ
１８    幅寄せガイド
１９    搬送制御ピン
２０    突起付搬送ベルトプーリ
２１    圧着搬送ベルトプーリ
２２    外貨検知センサ
２９    幅規制ガイド
３０    幅規制ピン
３１    幅規制ピンリセットスプリング
３２    幅規制ピン支点
３３    幅規制ピンブラケット
３４    穴
４１    押し付け治具
４２    調整治具
１００  現金処理装置
１６０  制御部
１７０  記憶部
１８０  通信部
２００  紙幣処理装置
２２０  操作表示部
２２１  表示部
２２２  操作部
２３２  シャッタ
２３０  紙幣入出金部
３００  硬貨処理装置
３１０  硬貨入金口
３２０  硬貨出金口
３３０  リジェクト口
３４０  硬貨入出金部
４００  ホストコンピュータ
５００  ネットワーク
【図１】
2018190200.tif 000003
【図２】
2018190200.tif 000004
【図３】
2018190200.tif 000005
【図４】
2018190200.tif 000006
【図５】
2018190200.tif 000007
【図６】
2018190200.tif 000008
【図７】
2018190200.tif 000009
【図８】
2018190200.tif 000010
【図９】
2018190200.tif 000011
【図１０】
2018190200.tif 000012
【図１１】
2018190200.tif 000013
【図１２】
2018190200.tif 000014
【図１３】
2018190200.tif 000015
【図１４】
2018190200.tif 000016